【事件の表示】
　特願２００２−　５２１９１「プッシュスイッチ」拒絶査定不服審判事件〔平成１５年　９月１２日出願公開、特開２００３−２５７２７７〕について、次のとおり審決する。
【結　論】
　本件審判の請求は、成り立たない。
【理　由】
１．手続の経緯
　
　本願は、平成１４年２月２７日の出願であって、平成１７年６月２７日付けで拒絶査定がなされ、これに対し、同年８月２４日に審判請求及び手続補正がなされたものである。
　
２．平成１７年８月２４日付け手続補正についての補正却下の決定
　
［補正却下の決定の結論］
　平成１７年８月２４日付け手続補正を却下する。
　
［理由］
（１）補正後の請求項１に記載された発明
　
　平成１７年８月２４日付け手続補正（以下「本件補正」という。）により、特許請求の範囲の請求項１は、次のとおりに補正された。
　
「【請求項１】　接点収容凹部（１１）が凹設された絶縁ハウジング（２）と、
　接点収容凹部（１１）の内底面に露出するコモン接点（３ｂ）と選択接点（４ｂ）と、　接点収容凹部（１１）のコモン接点（３ｂ）上に水平に載置され、上方に湾曲形成することにより選択接点（４ｂ）から離間させた可動接点板（５）と、
　可動接点板（５）の上方で、水平方向にスライド自在に配置されたキーステム（６）と、
　キーステム（６）の水平変位と可動接点板（５）の頂部の鉛直変位の一方を他方へ伝達する変位方向変換機構とを備え、
　キーステム（６）を水平方向に押し込むことにより、可動接点板（５）を反転させてコモン接点（３ｂ）と選択接点（４ｂ）間を橋絡させるプッシュスイッチにおいて、
　変位方向変換機構は、
　接点収容凹部（１１）を覆い、接点収容凹部（１１）に載置される可動接点板（５）の頂部を上方に連通させる開口（７ａ）が形成された仕切り板（７）と、
　絶縁ハウジング（２）に取り付けられ、仕切り板（７）との間でキーステム（６）を遊嵌し、キーステム（６）を水平方向にスライド自在に案内するカバー（１０）と、
　絶縁ハウジング（２）に取り付けられ、キーステム（６）の押し込み方向で、仕切り板（７）とカバー（１０）との間に配置されるカム部（９）と、
　キーステム（６）とカム部（９）とカバー（１０）と仕切り板（７）とにより囲まれる案内通路に収容され、仕切り板（７）の開口（７ａ）を通して可動接点板（５）の頂部に当接するアクチュエータ（８）とを備え、
　キーステム（６）のアクチュエータ（８）に当接する端面を、鉛直当接面（１２ａ）とし、
　鉛直当接面（１２ａ）に案内通路を挟み対向するカム部（９）の内壁を、下向きに傾斜したカム面（１３ａ）とし、
　少なくとも鉛直当接面（１２ａ）と、カバー（１０）と、カム面（１３ａ）と、可動接点板（５）の頂部に当接するアクチュエータ（８）の当接部を球面とし、
　キーステム（６）の水平変位と可動接点板（５）の頂部の鉛直変位の一方を、アクチュエータ（８）を介して、他方へ伝達することを特徴とするプッシュスイッチ。」
　
　上記補正は、請求項１に記載された発明を特定するために必要な事項である「カバー（１０）」について、「キーステム（６）を遊嵌し」との限定を付加するものであって、本件補正に係る事項は、新規事項を含むものとは認められず、平成１８年改正前特許法第１７条の２第４項第２号に規定する特許請求の範囲の減縮を目的とするものに該当する。
　
　そこで、本件補正後の請求項１に記載された発明（以下「本願補正発明」という。）が特許出願の際独立して特許を受けることができるものであるか（平成１８年改正前特許法第１７条の２第５項において準用する同法第１２６条第５項の規定に適合するか）について以下に検討する。
　 
（２）引用刊行物とその記載事項 
　 
　原査定の拒絶の理由に引用された、本願出願前に日本国内において頒布された刊行物である特開平９−１２０７３６号公報（以下「引用例」という。）には、「プッシュスイッチ」に関し、図１〜９とともに次の事項が記載されている。 
 　 
（ア）「図１〜図８において、プッシュスイッチ１は１回路のノーマルブレーク接点形式のスイッチを構成し、カバー２と、水平方向に押し込んでスイッチのメーク操作を行う押しボタン３と、ボール１０と、このボール１０が上下方向に移動する穴４Ａを中央部に備えたスペーサ４と、弾性を有する円板形状のダストカバー５と、ばね性を有する良電導体のコンタクトブレード６と、端子８および端子９と一体的に形成され、カバー２と嵌合してプッシュスイッチ１のケースを形成するベースモールド７とから構成される。」（第３ページ第３欄第３８〜４７行）
 　 
（イ）「押しボタン３は前部に操作部３Ａ、後部に２本のストッパアーム３Ｄ、中央部にテーパ部３Ｃ、および、このテーパ部３Ｃを囲むＵ字型の穴３Ｕを形成する。」（第３ページ第４欄第３〜６行）
　
（ウ）「押しボタン３は、スペーサ４、カバー２およびベースモールド７により、一定の水平方向に往復自在に支持されてなる。」（第３ページ第４欄第１５〜１７行）
 　 
（エ）「・・・ノーマル状態でダストカバー５の下面に接触したコンタクトブレード６のばね力でボール１０が上方向へ押され、このボール１０と接触しているテーパ部３Ｃにより押しボタン３は水平方向に押されている。すなわち、押しボタン３はその押し込む方向の反対方向に押されている。」（第３ページ第４欄第２１〜２６行）
　
（オ）「スペーサ４は、その中央部にボール１０が移動する穴４Ａと、この穴４Ａに沿ってそり立つボール固定部４Ｂと、２個のストッパ４Ｃと、２つの塀４Ｄを樹脂等で形成し、外周部と２つの塀４Ｄとをベースモールド７内周部に接触させる・・・」（第３ページ第４欄第２７〜３１行）
　
（カ）「・・・穴４Ａの径は、ボール１０が上下方向に摩擦なく移動できるようにボール１０の径よりわずかに大きく形成する。・・・ダストカバー５は円板状の弾性を有する材料（例えば、テフロンシート等）で形成し、・・・コンタクトブレード６や接点８Ａをダストカバー５上部からの塵やほこりの混入を防止する。・・・また、ダストカバー５は、底面がコンタクトブレード６の湾曲した上面に接触し、コンタクトブレード６をベースモールド７に支持する。」（第３ページ第４欄第４１行〜第４ページ第５欄第３行）
　
（キ）「・・・押しボタン３が押し込まれた場合には、ダストカバー５を形成する材料が有する弾性によってダストカバー５を介してテーパ部３Ｃに接触するボール１０の押下力がコンタクトブレード６を押下させ、コンタクトブレード６と接点８Ａとが接触して電気的な接続・導通（メーク状態）を発生する。」（第４ページ第５欄第４〜９行）
　
（ク）「コンタクトブレード６は電気抵抗の小さな良電導体材料で円板状に形成し、円板の中心近傍が最大寸法となるよう湾曲させ、この湾曲部のばね性によってノーマル状態のボール１０と押しボタン３の固定ならびにボール１０と押しボタン３復旧時の復旧力が得られるよう形成する。」（第４ページ第５欄第１０〜１５行）
　
（ケ）「端子８は、ベースモールド７の内部底面に形成された良電導体の接点８Ａと導通した良電導体材料で形成し、・・・」（第４ページ第５欄第３５〜３７行）
　
（コ）「端子９はベースモールド７の内部底面に形成され、常時コンタクトブレード６と導通した良電導体のコンタクト・・・を形成し、・・・」（第４ページ第５欄第４０〜４４行）
　
（サ）「接点８Ａは円板状のコンタクトを形成してベースモールド７の内部底面中央に配置され、押しボタン３が押されてボール１０が下方向に押しやられると、コンタクトブレード６の湾曲した上面が押し下げられて接触した場合、端子９→コンタクトブレード６→接点８Ａ→端子８が接続されて電気的に導通状態となり、プッシュスイッチ１はメーク状態となって端子８と端子９は電気的に導通状態となる。」（第４ページ第５欄第４６行〜第６欄３行）
　
（シ）「・・・押しボタン３から押込み力を取り除くと、変形したコンタクトブレード６のばね性の復旧力により、ダストカバー５およびボール１０が上方向に持ち上げられていき、ボール１０に接触するテーパ部３Ｃにより押しボタン３は水平方向に押し戻されて、押しボタン３の肩部３Ｆが凹部７Ｅの枠に押し当った状態でバランス状態となる。」（第５ページ第７欄第２０〜２６行）
　
（ス）図１には、ベースモールド７に凹部が凹設されており、当該凹部の内底面に接点８Ａが露出する点が記載されているものと認められる。
　
（セ）図８及び９には、ベースモールド７に凹設された凹部にコンタクトブレード６が水平に載置される点、押しボタン３とカバー２とスペーサ４とにより囲まれる案内通路にボール１０が収容される点、スペーサ４（のボール固定部４Ｂ）のボール１０に当接する端面を鉛直当接面とした点、及び当該鉛直当接面に当該案内通路を挟み対向する押しボタン３の内壁を下向きに傾斜したテーパ部３Ｃとした点が記載されているものと認められる。
　　
　引用例記載のものにおいて、プッシュスイッチは、上記記載事項（ア）〜（エ）、（キ）、（サ）及び（シ）からみて、押しボタン３の水平変位とコンタクトブレード６の頂部の鉛直変位の一方を他方へ伝達する変位方向変換機構を備え、当該変位方向変換機構は、スペーサ４、カバー２、押しボタン３に一体的に形成されたカム部、及びボール１０を備えるものであって、当該カム部における、上記鉛直当接面に上記案内通路を挟み対向する内壁がテーパ部３Ｃであること（上記記載事項（セ）参照）は明らかである。
　また、端子９のコンタクトは、ベースモールド７の内部底面に形成され、常時コンタクトブレード６と導通すること（上記記載事項（コ））、ベースモールド７に凹設された凹部にコンタクトブレード６が水平に載置されること（上記記載事項（セ））からみて、当該凹部の内底面に露出するものであることは明らかである。さらに、スペーサ４は、上記記載事項（オ）、（ス）及び図１の記載からみて、当該凹部を覆い当該凹部に載置されること、ボール１０は、上記鉛直当接面とカバー２とテーパ部３Ｃとコンタクトブレード６の頂部に接触するダストカバー５に当接する（上記記載事項（カ）及び（キ）、図８、９参照）とともに、その当接部が球面であることも明らかである。
　　
　したがって、上記記載事項（ア）〜（セ）及び図１〜９の記載からみて、引用例には、
　　
「凹部が凹設されたベースモールド７と、
　凹部の内底面に露出するコンタクトと接点８Ａと、
　凹部のコンタクト上に水平に載置され、上方に湾曲形成することにより接点８Ａから離間させたコンタクトブレード６と、
　コンタクトブレード６の上方で、水平方向にスライド自在に配置された押しボタン３と、
　押しボタン３の水平変位とコンタクトブレード６の頂部の鉛直変位の一方を他方へ伝達する変位方向変換機構とを備え、
　押しボタン３を水平方向に押し込むことにより、コンタクトブレード６を反転させてコンタクトと接点８Ａ間を橋絡させるプッシュスイッチにおいて、
　変位方向変換機構は、
　凹部を覆い、凹部に載置されるコンタクトブレード６の頂部に接触するダストカバー５を上方に連通させる穴４Ａが形成されたスペーサ４と、
　ベースモールド７に取り付けられ、スペーサ４との間で押しボタン３を水平方向にスライド自在に案内するカバー２と、
　押しボタン３と一体的に形成され、スペーサ４とカバー２との間に配置されるカム部と、
　押しボタン３とカバー２とスペーサ４とにより囲まれる案内通路に収容され、スペーサ４の穴４Ａを通してコンタクトブレード６の頂部に接触するダストカバー５に当接するボール１０とを備え、
　スペーサ４のボール１０に当接する端面を、鉛直当接面とし、
　鉛直当接面に案内通路を挟み対向するカム部の内壁を、下向きに傾斜したテーパ部３Ｃとし、
　少なくとも鉛直当接面と、カバー２と、テーパ部３Ｃと、コンタクトブレード６の頂部に接触するダストカバー５に当接するボール１０の当接部を球面とし、
　押しボタン３の水平変位とコンタクトブレード６の頂部の鉛直変位の一方を、ボール１０を介して、他方へ伝達するプッシュスイッチ。」
　　
の発明（以下「引用発明」という。）が記載されていると認められる。 
 　 
　　
（３）対比
　　
　本願補正発明と引用発明とを対比すると、引用発明の「凹部」、「ベースモールド７」、「コンタクト」、「接点８Ａ」、「コンタクトブレード６」、「押しボタン３」、「穴４Ａ」、「スペーサ４」、「ボール１０」、「テーパ部３Ｃ」は、それぞれ本願補正発明の「接点収容凹部（１１）」、「絶縁ハウジング（２）」、「コモン接点（３ｂ）」、「選択接点（４ｂ）」、「可動接点板（５）」、「キーステム（６）」、「開口（７ａ）」、「仕切り板（７）」、「アクチュエータ（８）」、「カム面（１３ａ）」に相当する。
　また、引用発明の「スペーサ４のボール１０に当接する端面」は、「案内通路のアクチュエータに当接する端面」である限りにおいて、本願補正発明の「キーステム（６）のアクチュエータ（８）に当接する端面」と共通するとともに、引用発明の「コンタクトブレード６の頂部に接触するダストカバー５」は、「弾性部材」である限りにおいて、本願補正発明の「可動接点板（５）の頂部」と共通する。
　　
　そうすると、本願補正発明と引用発明とは、
　　
「接点収容凹部が凹設された絶縁ハウジングと、
　接点収容凹部の内底面に露出するコモン接点と選択接点と、
　接点収容凹部のコモン接点上に水平に載置され、上方に湾曲形成することにより選択接点から離間させた可動接点板と、
　可動接点板の上方で、水平方向にスライド自在に配置されたキーステムと、
　キーステムの水平変位と可動接点板の頂部の鉛直変位の一方を他方へ伝達する変位方向変換機構とを備え、
　キーステムを水平方向に押し込むことにより、可動接点板を反転させてコモン接点と選択接点間を橋絡させるプッシュスイッチにおいて、
　変位方向変換機構は、
　接点収容凹部を覆い、弾性部材を上方に連通させる開口が形成された仕切り板と、
　絶縁ハウジングに取り付けられ、仕切り板との間でキーステムを水平方向にスライド自在に案内するカバーと、
　仕切り板とカバーとの間に配置されるカム部と、
　キーステムとカバーと仕切り板とにより囲まれる案内通路に収容され、仕切り板の開口を通して弾性部材に当接するアクチュエータとを備え、
　案内通路のアクチュエータに当接する端面を、鉛直当接面とし、
　鉛直当接面に案内通路を挟み対向するカム部の内壁を、下向きに傾斜したカム面とし、
　少なくとも鉛直当接面と、カバーと、カム面と、弾性部材に当接するアクチュエータの当接部を球面とし、
　キーステムの水平変位と可動接点板の頂部の鉛直変位の一方を、アクチュエータを介して、他方へ伝達するプッシュスイッチ」
　　
 である点で一致し、以下の点で相違する。
 　 
［相違点１］
　本願補正発明では、カム部（９）は、「絶縁ハウジング（２）に取り付けられ、キーステム（６）の押し込み方向で」配置され、鉛直当接面（１２ａ）は、「キーステム（６）のアクチュエータ（８）に当接する端面」に設けられるとともに、案内通路を「キーステム（６）とカム部（９）とカバー（１０）と仕切り板（７）」とにより囲まれるものとし、カバー（１０）は、仕切り板（７）との間で「キーステム（６）を遊嵌」するのに対して、
　引用発明では、カム部は、「押しボタン３と一体的に形成され」て配置され、鉛直当接面は、「スペーサ４のボール１０に当接する端面」に設けられるとともに、案内通路を「押しボタン３とカバー２とスペーサ４」とにより囲まれるものとし、カバー２について、スペーサ４との間で「押しボタン３を遊嵌」するか否か不明である点。
　　
［相違点２］
　本願補正発明では、アクチュエータ（８）は、「可動接点板（５）の頂部」に当接するとともに、仕切り板（７）に形成された開口（７ａ）は、「接点収容凹部（１１）に載置される可動接点板（５）の頂部」を上方に連通させるのに対して、引用発明では、ボール１０は、「コンタクトブレード６の頂部に接触するダストカバー５」に当接するとともに、スペーサ４に形成された穴４Ａは、「凹部に載置されるコンタクトブレード６の頂部に接触するダストカバー５」を上方に連通させる点。
　　
（３）相違点についての判断
　　
　次に、上記相違点について以下で検討する。
　　
［相違点１］について
　　
　一般的に、変位方向変換機構を備えるプッシュスイッチの技術分野において、操作部（キーステム）自体に当接するアクチュエータから鉛直方向成分の反力を受けることを回避し、操作部を水平方向に円滑にスライドさせて、操作力を軽減するとともに、確実に操作部を復帰させるという課題は、従来良く知られたものである（例えば、実願昭５９−１８４９５２号（実開昭６１−１００８３７号）のマイクロフィルムの明細書第２ページ第１８行〜第３ページ第１１行、又は、実願昭５９−１８４９５３号（実開昭６１−１００８３８号）のマイクロフィルムの明細書第２ページ第１８行〜第３ページ第１１行参照）。
　
　そして、当該課題を解決するために、プッシュスイッチの変位方向変換機構について、従来様々な技術的手段（操作部とスライダ（アクチュエータ）の間にねじりコイルバネ（アクチュエータ）を介在させ、ねじりコイルバネのコイル部を操作部の下端部に当接させたもの（上記実願昭５９−１８４９５２号（実開昭６１−１００８３７号）のマイクロフィルムの第１〜３図、又は、実願昭５７−１３５４１７号（実開昭５９−３９８３８号）のマイクロフィルムの第５〜７図参照）や、操作部とスライダの間にねじりコイルバネ又は板バネを介在させ、当該バネの一端を操作部の下端部に係止させたもの（上記実願昭５９−１８４９５３号（実開昭６１−１００８３８号）のマイクロフィルムの第１〜３図、又は、上記実願昭５７−１３５４１７号（実開昭５９−３９８３８号）のマイクロフィルムの第２〜４図参照）などがある。）が採用されてきたところであり、かかる周知技術の中には、操作部のねじりコイルバネ又は板バネ（アクチュエータ）に当接する面を鉛直当接面としたものも含まれている。
　
　また、カム部の配置については、原査定の拒絶の理由に引用された、特開平１１−３９９８７号公報（図１〜３参照）、及び実願平４−２３３２４号（実開平５−８３９５８号）のＣＤ−ＲＯＭ（図１〜２参照）のほか、例えば、実公平４−７５４１号公報（第４〜６図参照）、実公平５−４６２５０号公報（第４〜５図参照）などに記載されているとおり、カム部を「操作部の押し込み方向」に配置する点も従来周知の技術である。
　
　してみれば、引用発明において、上記技術的課題を解決するために、カム部と鉛直当接面の配置を交換すること、すなわち、カム部を押しボタン３と別体に形成して、押しボタン３の「押し込み方向」にあるスペーサ４（のボール固定部４Ｂ）に配置するとともに、鉛直当接部を押しボタン３のボール１０に当接する端面に設けることは、上記の各周知技術に照らせば、当業者が容易に想到し得たことである。また、このようにカム部と鉛直当接面の配置を交換することによって、ボール１０が収容された案内通路を「押しボタン３とカム部とカバー２とスペーサ４」とにより囲まれるものとすることができ、また、押しボタン３を水平方向に円滑にスライドさせるべく、押しボタン３とスペーサ４及びカバー２との間に一定の遊びを設けて、カバー２についてスペーサ４との間で「押しボタン３を遊嵌」する構成とすることができる。
　
　したがって、上記相違点１に係る本願補正発明の構成に格別の困難性はない。
　
　なお、審判請求人は、「遊嵌」という用語に関して、平成１９年９月１４日付け回答書において、引用発明がスペーサ４とカバー２との間に押しボタン３を「遊嵌」するものとすると、コンタクトブレード６の反転による鉛直変位が「遊嵌」する隙間に吸収されて、押しボタン３の水平変位として伝達されず、押しボタン３はコンタクトブレード６の反転によっても復帰しないものとなり、プッシュスイッチとしての機能を果たすことができなくなるので、引用発明のカバー２はスペーサ４との間で押しボタン３を「遊嵌」するものではない旨主張している。
　
　しかしながら、審判請求人は、「遊嵌」の技術的意義につき「可動接点板（コンタクトブレード６）の反転による押圧力がキーステム（押しボタン３）に作用している時点において、キーステムと仕切り板（スペーサ４）及びカバーとの間に遊びをもってキーステムを支持する状態」と限定的に解釈して、その解釈を前提として上記のとおり主張しているものと解されるところ、本願明細書の記載（段落【００３９】参照）に照らせば、「遊嵌」の技術的意義をそのように限定的に解釈することはできないから、審判請求人の上記主張を採用することは困難であることを付言する。
　　
［相違点２］について
　
　引用発明において、コンタクトブレード６や接点８Ａが収容された凹部に対する防塵の必要性の有無に応じて、ダストカバー５を具備するものとするか否かを選択することは、当業者が適宜行う設計的事項であるから、ダストカバー５を省略して、ボール１０を「可動接点板（５）の頂部」に当接するようにし、スペーサ４に形成された穴４Ａを「凹部に載置されるコンタクトブレード６の頂部」を上方に連通させるものとすることは、当業者が容易に想到し得たことである。したがって、上記相違点２に係る本願補正発明の構成に格別の困難性はない。
　　
　そして、本願補正発明の奏する効果について検討しても、引用発明及び周知技術（特に、変位方向変換機構を構成するキーステム、アクチュエータ等の間の接触面積を小さくして、摩擦力を低減する点に関して、実願昭５４−９９５０８号（実開昭５６−１８６２６号）のマイクロフィルムの明細書第９ページ第１４行〜第１０ページ第３行、又は、上記実願昭５７−１３５４１７号（実開昭５９−３９８３８号）のマイクロフィルムの明細書第７ページ第１６行〜第８ページ第６行参照。）から予測可能なものであり、格別なものとはいえない。
　
　したがって、本願補正発明は、引用発明及び周知技術に基づいて、当業者が容易に発明することができたものであるから、特許法第２９条第２項の規定により特許出願の際独立して特許を受けることができないものである。
 　 
（５）むすび 
　
　以上のとおり、本件補正は、平成１８年改正前特許法第１７条の２第５項において準用する同法第１２６条第５項の規定に違反するものであり、特許法第１５９条第１項の規定で読み替えて準用する同法第５３条第１項の規定により却下を免れない。
　
３．本願発明について
　
（１）本願発明
　　
　本件補正は上記２．のとおり却下されたので、本願の請求項１〜３に係る発明は、願書に最初に添付された明細書の特許請求の範囲の請求項１〜３に記載された事項により特定されるとおりのものと認められるところ、そのうち、本願の請求項１に係る発明（以下「本願発明」という。）は次のとおりである。
　　
「【請求項１】　接点収容凹部（１１）が凹設された絶縁ハウジング（２）と、
　接点収容凹部（１１）の内底面に露出するコモン接点（３ｂ）と選択接点（４ｂ）と、　接点収容凹部（１１）のコモン接点（３ｂ）上に水平に載置され、上方に湾曲形成することにより選択接点（４ｂ）から離間させた可動接点板（５）と、
　可動接点板（５）の上方で、水平方向にスライド自在に配置されたキーステム（６）と、
　キーステム（６）の水平変位と可動接点板（５）の頂部の鉛直変位の一方を他方へ伝達する変位方向変換機構とを備え、
　キーステム（６）を水平方向に押し込むことにより、可動接点板（５）を反転させてコモン接点（３ｂ）と選択接点（４ｂ）間を橋絡させるプッシュスイッチにおいて、
　変位方向変換機構は、
　接点収容凹部（１１）を覆い、接点収容凹部（１１）に載置される可動接点板（５）の頂部を上方に連通させる開口（７ａ）が形成された仕切り板（７）と、
　絶縁ハウジング（２）に取り付けられ、仕切り板（７）との間で、キーステム（６）を水平方向にスライド自在に案内するカバー（１０）と、
　絶縁ハウジング（２）に取り付けられ、キーステム（６）の押し込み方向で、仕切り板（７）とカバー（１０）との間に配置されるカム部（９）と、
　キーステム（６）とカム部（９）とカバー（１０）と仕切り板（７）とにより囲まれる案内通路に収容され、仕切り板（７）の開口（７ａ）を通して可動接点板（５）の頂部に当接するアクチュエータ（８）とを備え、
　キーステム（６）のアクチュエータ（８）に当接する端面を鉛直当接面（１２ａ）とし、
　鉛直当接面（１２ａ）に案内通路を挟み対向するカム部（９）の内壁を、下向きに傾斜したカム面（１３ａ）とし、
　少なくとも鉛直当接面（１２ａ）と、カバー（１０）と、カム面（１３ａ）と、可動接点板（５）の頂部に当接するアクチュエータ（８）の当接部を球面とし、
　キーステム（６）の水平変位と可動接点板（５）の頂部の鉛直変位の一方を、アクチュエータ（８）を介して、他方へ伝達することを特徴とするプッシュスイッチ。」
　　
（２）引用刊行物とその記載事項
　
　原査定の拒絶の理由に引用した刊行物である引用例及びその記載事項は上記２．（２）に記載したとおりである。
　
（３）対比・判断
　
　本願発明は、上記２．で検討した本願補正発明から「カバー（１０）」について、「キーステム（６）を遊嵌し」との限定を省いたものである。
　そうすると、本願発明の構成要件をすべて含み、更に他の構成要件を付加したものに相当する本願補正発明が、上記２．（４）に記載したとおり、引用発明及び周知技術に基づいて当業者が容易に発明をすることができたものであるから、本願発明も、同様の理由により、引用発明及び周知技術に基づいて当業者が容易に発明をすることができたものである。
　
（４）むすび
　
　以上のとおりであるから、本願発明は、特許法第２９条第２項の規定により特許を受けることができないものであり、このような特許を受けることができない発明を包含する本願は、その他の請求項に係る発明について検討するまでもなく、拒絶されるべきである。
　よって、結論のとおり審決する。